(57)【要約】【課題】トンネル内ラジオ再放送設備の誘導線断検出装置であって、誘導線に断線がある場合に、その断線箇所を特定するための保守作業員による調査時間を大幅に短縮する。【解決手段】平行２線に敷設された下りと上りの各誘導線52a,52bに対し一定間隔で誘導線分岐器70を介在しその前段と後段の各誘導線を切り離し可能にする。整合器51Mからｎ個目の各誘導線分岐器70とｎ＋１個目の各誘導線分岐器70との間の各誘導線52a,52bを断線検出対象区間とし、当該区間の一端の各誘導線分岐器70にユーザ操作で切り離しの制御信号を出力し、当該区間の各誘導線52a,52bの一端にユーザ操作で電圧を印加する断線区間検出器（１）80を用意する。また断線検出対象区間の他端の各誘導線分岐器70にユーザ操作で切り離しの制御信号を出力し、当該区間の各誘導線52a,52bの他端から導出される前記電圧により点灯するＬＥＤを備えた断線区間検出器（２）90を用意する。【選択図】      図２
2018105630.tif 000002
【特許請求の範囲】
【請求項１】
平行２線式の誘導線における第１の誘導線と第２の誘導線のそれぞれに予め設定された間隔毎に介在され、当該誘導線を外部からの制御信号に応じて切り離す切り離し部と、前記切り離し部により切り離された誘導線の一端と他端とを各々導出する導出部と、を有する誘導線分岐器と、
前記第１の誘導線と前記第２の誘導線とにそれぞれ介在した各誘導線分岐器の切り離し部に対してユーザ操作に応じて前記制御信号を出力する制御信号出力部と、前記各誘導線分岐器の導出部により導出された前記各誘導線の一端間または他端間にユーザ操作に応じて電圧を印加する電圧印加部と、を有する第１の操作器と、
前記第１の誘導線と前記第２の誘導線とにそれぞれ介在した各誘導線分岐器の切り離し部に対してユーザ操作に応じて前記制御信号を出力する制御信号出力部と、前記各誘導線分岐器の導出部により導出された前記各誘導線の一端間または他端間の電圧または電流を検出する検出部と、を有する第２の操作器と、
を備えたトンネル内ラジオ再放送設備における誘導線断検出装置。
【請求項２】
前記第１の操作器と前記第２の操作器は、何れも、携行可能に構成される、請求項１に記載のトンネル内ラジオ再放送設備における誘導線断検出装置。
【請求項３】
前記第１の操作器と前記第２の操作器は、何れも、前記各誘導線分岐器の切り離し部と当該各誘導線分岐器の導出部により導出された各誘導線の一端または他端に接続するための接続部を有する、請求項１または請求項２に記載のトンネル内ラジオ再放送設備における誘導線断検出装置。
【請求項４】
前記第１の誘導線と前記第２の誘導線とにそれぞれ介在した各誘導線分岐器に対応する場所に設けられ、当該各誘導線分岐器と前記第１の操作器または前記第２の操作器との接続を中継する中継器を備え、前記接続部は、ユーザ操作に応じて当該中継器に接続される、請求項３に記載のトンネル内ラジオ再放送設備における誘導線断検出装置。
【請求項５】
平行２線式の誘導線における第１の誘導線と第２の誘導線のそれぞれに予め設定された間隔毎に、当該誘導線を外部からの制御信号に応じて切り離す切り離し部と、前記切り離し部により切り離された誘導線の一端と他端とを各々導出する導出部と、を有する誘導線分岐器を介在すること、
前記第１の誘導線と前記第２の誘導線とにそれぞれ介在した各誘導線分岐器の切り離し部に対してユーザ操作に応じて前記制御信号を出力すると共に、前記各誘導線分岐器の導出部により導出された前記各誘導線の一端間または他端間にユーザ操作に応じて電圧を印加すること、
前記第１の誘導線と前記第２の誘導線とにそれぞれ介在した各誘導線分岐器の切り離し部に対してユーザ操作に応じて前記制御信号を出力すると共に、前記各誘導線分岐器の導出部により導出された前記各誘導線の一端間または他端間の電圧または電流を検出すること、
からなるトンネル内ラジオ再放送設備における誘導線断検出方法。
【請求項６】
前記各誘導線の一端間または他端間にユーザ操作に応じて電圧を印加することと、前記各誘導線の一端間または他端間の電圧または電流を検出することとは、何れも、携行可能な機器により行なう、請求項５に記載のトンネル内ラジオ再放送設備における誘導線断検出方法。
【発明の詳細な説明】
【技術分野】
【０００１】
本発明の実施形態は、トンネル内ラジオ再放送設備における誘導線断検出装置およびその検出方法に関する。
【背景技術】
【０００２】
一般に、車両等が通行するトンネルには、トンネル内ラジオ再放送設備が設けられている。
【０００３】
このトンネル内ラジオ再放送設備は、トンネル外部のトンネル電気室等に設置したラジオ受信装置で受信したラジオ放送を、トンネル内の壁面に敷設したアンテナ（誘導線）から再送信することで、放送局からの電波が直接届き難いあるいは届かないトンネル内であってもラジオ放送を容易に受信可能にするものである。
【０００４】
また、このトンネル内ラジオ再放送設備は、トンネル内及びその出入り口付近での事故、火災等の緊急事態発生に伴う緊急時において、そのラジオ放送から切り替えて障害の発生や避難誘導等を知らせるための緊急時割込み放送を行なうことで、防災上も重要な役割を担っている。
【０００５】
このため、前記トンネル内ラジオ再放送設備は、常に正常に機能していることが重要になるが、その中でも前記トンネル内の壁面に敷設したアンテナ（誘導線）は、温度、湿度、ガス、塵埃等、環境の変化を受けて劣化し易いばかりでなく、物理的な衝撃も受けることがあり、断線することがある。前記アンテナ（誘導線）が断線すると、ラジオ再放送が正常に機能しなくなり、前記緊急割込み放送もできない状態となってしまう。
【０００６】
前記トンネル内ラジオ再放送設備において、ＡＭラジオ再放送のためのアンテナ（誘導線）は、一般にその放送信号を給電する整合器と終端抵抗器との間でループ状になる平行２線式の誘導線として敷設されている。従来、前記終端抵抗器を介してループ状になる誘導線の一端と他端との間に電圧を印加し、その電圧、電流が正常に検出されるか否かにより、誘導線断が無いか有るかを監視することが考えられている。
【先行技術文献】
【特許文献】
【０００７】
【特許文献１】特開平１１−０１７５９０号公報
【特許文献２】特開昭５９−００７２４９号公報
【特許文献３】特開平  ４−１０２９９０号公報
【発明の概要】
【発明が解決しようとする課題】
【０００８】
前記従来のトンネル内ラジオ再放送設備において、誘導線断が無いか有るかを監視する装置は、前記トンネル電気室等のトンネル内の各電気設備を管理するための建屋にあり、前記誘導線のどこかで発生した断線を検知することができる。
【０００９】
しかしながら、トンネルの距離は数キロから十数キロにおよび、前記ラジオ再放送設備のアンテナ（誘導線）も同様に長くなるため、前記従来の断線監視装置では、前記誘導線の断線を検知することができても、当該誘導線の何処で断線しているかを特定することはできない。
【００１０】
この場合、保守作業員が誘導線の断線箇所をその誘導線の端から直接且つ連続的に調査して行く必要があり、長い調査時間を要するばかりでなく、その長い時間、通行車両と隣接する危険な作業になる。
【００１１】
また、前記誘導線がトンネル内の天井壁面等、地上の保守作業員から直接届かない位置に敷設されている場合には、高所作業車を利用することになるため、少なくとも片側車線において、長い時間、車両通行止めをしなければならない。
【００１２】
本発明が解決しようとする課題は、トンネル内ラジオ再放送設備において、誘導線に断線がある場合に、その断線箇所を特定するための保守作業員による調査時間を大幅に短縮することが可能になる誘導線断検出装置およびその検出方法を提供することである。
【課題を解決するための手段】
【００１３】
実施形態のトンネル内ラジオ再放送設備における誘導線断検出装置は、  
平行２線式の誘導線における第１の誘導線と第２の誘導線のそれぞれに予め設定された間隔毎に介在され、当該誘導線を外部からの制御信号に応じて切り離す切り離し部と、前記切り離し部により切り離された誘導線の一端と他端とを各々導出する導出部と、を有する誘導線分岐器と、  
前記第１の誘導線と前記第２の誘導線とにそれぞれ介在した各誘導線分岐器の切り離し部に対してユーザ操作に応じて前記制御信号を出力する制御信号出力部と、前記各誘導線分岐器の導出部により導出された前記各誘導線の一端間または他端間にユーザ操作に応じて電圧を印加する電圧印加部と、を有する第１の操作器と、  
前記第１の誘導線と前記第２の誘導線とにそれぞれ介在した各誘導線分岐器の切り離し部に対してユーザ操作に応じて前記制御信号を出力する制御信号出力部と、前記各誘導線分岐器の導出部により導出された前記各誘導線の一端間または他端間の電圧または電流を検出する検出部と、を有する第２の操作器と、を備えている。
【図面の簡単な説明】
【００１４】
【図１】実施形態の誘導線断検出装置の設置対象となるトンネル内ラジオ再放送設備の全体の構成を示す概念図。
【図２】前記トンネル内ラジオ再放送設備においてトンネルＴＬ内に設置されたＡＭラジオ再放送用の誘導線５２と当該誘導線５２に設けられる誘導線断検出装置の構成を示す概念図。
【図３】前記トンネルＴＬ内の誘導線５２に介在される誘導線分岐器７０の構成を示す概略図。
【図４】前記誘導線分岐器７０により切り離された断線検出対象区間側の分岐ケーブル７２Ｒ（または７２Ｌ）に接続される断線区間検出器（１）８０の構成を示す概略図。
【図５】前記誘導線分岐器７０により切り離された断線検出対象区間側の分岐ケーブル７２Ｌ（または７２Ｒ）に接続される断線区間検出器（２）９０の構成を示す概略図。
【図６】前記誘導線断検出装置により誘導線断検出を行なう実施例を示す概略図。
【図７】前記誘導線断検出装置を用いた誘導線断箇所検出作業（手法）の流れを示すフローチャート。
【発明を実施するための形態】
【００１５】
以下、実施形態のトンネル内ラジオ再放送設備における誘導線断検出装置およびその検出方法を、図面を参照して説明する。
【００１６】
図１は、実施形態の誘導線断検出装置の設置対象となるトンネル内ラジオ再放送設備の全体の構成を示す概念図である。
【００１７】
このトンネル内ラジオ再放送設備は、トンネルＴＬの例えば出入口付近の外部に設置されたトンネル電気室に、ラジオ再放送装置１０を設けて構成される。このラジオ再放送装置１０には、受信装置２０、ＡＭ再放送装置３０、ＦＭ再放送装置４０が備えられる。
【００１８】
また、前記トンネルＴＬ内の壁面には、ＡＭラジオ再放送用のアンテナとして機能する誘導線５２と、ＦＭラジオ再放送用のアンテナとして機能するＬＣＸ（漏洩同軸ケーブル）５３が、当該トンネルＴＬの車両移動方向に対応した長さ方向に敷設される。
【００１９】
前記誘導線５２は、前記ＡＭ再放送装置３０から同軸のアプローチケーブルＣＡを介してＡＭ再放送信号が給電される整合器５１Ｍと終端抵抗器５１Ｒとの間を平行２線式でループ状にして敷設される。
【００２０】
また、前記ＬＣＸ（漏洩同軸ケーブル）５３も前記ＦＭ再放送装置４０から同軸のアプローチケーブルＣＦを介してＦＭ放送信号が給電される給電点と終端抵抗器５３Ｒとの間に敷設される。
【００２１】
前記受信装置２０は、ＡＭ受信アンテナＡＴ１が接続されたＡＭ受信部２１とＦＭ受信アンテナＡＴ２が接続されたＦＭ受信部２２を有する。前記ＡＭ受信部２１で受信したＡＭラジオ放送信号は、検波復調後、音声信号（ＡＦ）として前記ＡＭ再放送装置３０へ送出される。また、前記ＦＭ受信部２２で受信したＦＭラジオ放送信号は、中間周波数信号（ＩＦ）として前記ＦＭ再放送装置４０へ送出される。
【００２２】
前記ＡＭ再放送装置３０は、前記ＡＭ受信部２１で受信した各ＡＭラジオ放送局の放送信号を各々の周波数で再送信すると共に、管理事務所６０からの制御に従い緊急割込み放送を行なうもので、放送切換部３１、ＡＭ送信部３２、出力混合部３３、誘導線断検知部３４、メモリ再生部３５、操作制御部３６、伝送制御部３７を有する。
【００２３】
前記放送切換部３１は、ＡＭ受信部２１により受信されたＡＭラジオ放送の再放送信号と後述のメモリ再生部３５、または管理事務所６０からの緊急割込み放送信号との切換えを行ないＡＭ送信部３２に分配する。
【００２４】
前記ＡＭ送信部３２は、前記放送切換部３１により分配されたＡＭラジオ放送の再放送信号または緊急割込み信号を指定の周波数に変換して電力増幅し出力混合部３３に出力する。
【００２５】
前記出力混合部３３は、前記ＡＭ送信部３２から入力されるＡＭラジオ放送の再放送信号または緊急割込み信号の各送信信号を混合し前記トンネルＴＬ内の誘導線（アンテナ）５２の整合器５１Ｍに給電する。
【００２６】
前記誘導線断検知部３４は、前記トンネルＴＬ内の誘導線（アンテナ）５２の断線異常を検知するもので、断線異常時には異常出力を前記操作制御部３６へ送出する。
【００２７】
前記メモリ再生部３５は、前記緊急割込み信号等の割込み放送音声信号を再生するもので、当該音声信号の音声データは予めデジタル方式の記録媒体に別途録音されている。
【００２８】
前記操作制御部３６は、管理事務所６０からの割込み制御に従った割込み放送制御機能ならびに各種の監視機能を有するもので、通常時はラジオ再放送を行ない、緊急時は割込み放送を行なう。また、各送信部３２，４３による出力の音声モニタや誘導線断検知部３４により検知された断線異常等の故障表示を前記管理事務所６０にて行わせる。
【００２９】
前記伝送制御部３７は、前記管理事務所６０からの指令に従いラジオ再放送設備の監視制御を行なう。
【００３０】
前記ＦＭ再放送装置４０は、前記ＦＭ受信部２２で受信した各ＦＭラジオ放送局の放送信号を各々の周波数で再送信すると共に、管理事務所６０からの制御に従い緊急割込み放送を行なうもので、ＦＭ変調部４１、ＦＭ放送切換部４２、ＦＭ送信部４３、ＦＭ出力混合部４４を有する。
【００３１】
図２は、前記トンネル内ラジオ再放送設備においてトンネルＴＬ内に設置されたＡＭラジオ再放送用の誘導線５２と当該誘導線５２に設けられる誘導線断検出装置の構成を示す概念図である。
【００３２】
前述したように、前記ＡＭ再放送装置３０のアンテナとして機能する誘導線５２は、再放送信号の給電点となる整合器５１Ｍと終端抵抗器５１Ｒとの間で、平行２線式に、当該整合器５１Ｍから終端抵抗器５１Ｒの一端へ向かう下り誘導線５２ａと同終端抵抗器５１Ｒの他端から整合器５１Ｍへ戻る上り誘導線５２ｂとしてループ状に敷設される。
【００３３】
そして、前記整合器５１Ｍから終端抵抗器５１Ｒに至る下りと上りの各誘導線５２ａ，５２ｂには、一定間隔（例えば２００ｍ）毎に誘導線分岐器７０が介在される。
【００３４】
図３は、前記トンネルＴＬ内の誘導線５２に介在される誘導線分岐器７０の構成を示す概略図である。
【００３５】
前記誘導線分岐器７０は、当該誘導線分岐器７０を介在した誘導線５２（５２ａ／５２ｂ）の前記整合器５１Ｍ側の一方と前記終端抵抗器５１Ｒ側の他方とを切り離す切り離しスイッチ７１を備える。この切り離しスイッチ７１は、後述の断線区間検出器（１）８０（図４参照）または断線区間検出器（２）９０からのユーザ操作に応じた分岐器制御信号に応じて切り離し動作する。
【００３６】
また、前記誘導線分岐器７０は、前記誘導線５２（５２ａ／５２ｂ）を切り離した後の前記整合器５１Ｍ側の一方を分岐して導出する一方の分岐ケーブル７２と前記終端抵抗器５１Ｒ側の他方を分岐して導出する他方の分岐ケーブル７２Ｒとを備える。これらの分岐ケーブル７２Ｌ，７２Ｒには、前記断線区間検出器（１）８０（図４参照）または前記断線区間検出器（２）９０（図５参照）が接続される。
【００３７】
具体的には、前記各誘導線５２（下り誘導線５２ａ／上り誘導線５２ｂ）にそれぞれ一定間隔毎に設けた誘導線分岐器７０の整合器５１Ｍ側を上段とし、終端抵抗器５１Ｒ側を下段として定義する。そして、下り誘導線５２ａ及び上り誘導線５２ｂ共に前記整合器５１Ｍ側からｎ段目の誘導線分岐器７０，７０とｎ＋１段目の誘導線分岐器７０，７０との間を断線検出対象区間と仮定した場合、当該断線検出対象区間の上段側の各誘導線分岐器７０，７０それぞれにおける他方の分岐ケーブル７２Ｒ，７２Ｒ間に前記前記断線区間検出器（１）８０（図４参照）（または前記断線区間検出器（２）９０（図５参照））を接続し、また当該断線検出対象区間の下段側の各誘導線分岐器７０，７０それぞれにおける一方の分岐ケーブル７２Ｌ，７２Ｌ間に前記断線区間検出器（２）９０（図５参照）（または前記断線区間検出器（１）８０（図４参照））を接続する。
【００３８】
図４は、前記誘導線分岐器７０により切り離された断線検出対象区間側の分岐ケーブル７２Ｒ（または７２Ｌ）に接続される断線区間検出器（１）８０の構成を示す概略図である。
【００３９】
この断線区間検出器（１）８０は、前記誘導線５２ａ，５２ｂにおける断線検出対象区間の一端側（または他端側）の各誘導線分岐器７０，７０それぞれにおける他方の分岐ケーブル７２Ｒ，７２Ｒ間（または一方の分岐ケーブル７２Ｌ，７２Ｌ間）に所定の電圧を印加するための電圧印加スイッチ８１と直流電源８２からなる電圧印加回路８３を備え、当該電圧印加回路８３は断線確認ボタン８５のユーザ操作に応じてＯＮ／ＯＦＦ動作する。また、前記断線区間検出器（１）８０は、前記誘導線５２ａ，５２ｂにおける断線検出対象区間の一端側（または他端側）の各誘導線分岐器７０，７０それぞれにおける切り離しスイッチ７１，７１に分岐器制御信号を出力するための分岐制御出力部８４を備え、当該分岐制御出力部８４は分岐器制御ボタン８６のユーザ操作に応じて分岐制御信号を出力する。
【００４０】
前記断線区間検出器（１）８０の電圧印加スイッチ８１がＯＮ動作することにより直流電源８２の電圧が印加される２本の電圧印加線と、前記分岐制御出力部８４から出力される分岐制御信号の信号線とは、３芯の検出プラグ（１）８７として導出され、前記各誘導線５２ａ，５２ｂに一定間隔毎に介在された誘導線分岐器７０，７０の他方の分岐ケーブル７２Ｒ，７２Ｒ（または一方の分岐ケーブル７２Ｌ，７２Ｌ）と切り離しスイッチ７１，７１とに容易に接続を図るための後述する中継器１００（図６参照）に接続される。
【００４１】
図５は、前記誘導線分岐器７０により切り離された断線検出対象区間側の分岐ケーブル７２Ｌ（または７２Ｒ）に接続される断線区間検出器（２）９０の構成を示す概略図である。
【００４２】
この断線区間検出器（２）９０は、前記誘導線５２ａ，５２ｂにおける断線検出対象区間の他端側（または一端側）の各誘導線分岐器７０，７０それぞれにおける一方の分岐ケーブル７２Ｌ，７２Ｌ間（または他方の分岐ケーブル７２Ｒ，７２Ｒ間）に印加された電圧が掛かる抵抗９１と当該抵抗９１に流れる電流により点灯するＬＥＤ９２からなる電流検出回路９３を備える。また、前記断線区間検出器（２）９０は、前記断線区間検出器（１）８０と同様に、前記誘導線５２ａ，５２ｂにおける断線検出対象区間の他端側（または一端側）の各誘導線分岐器７０，７０それぞれにおける切り離しスイッチ７１，７１に分岐器制御信号を出力するための分岐制御出力部９４を備え、当該分岐制御出力部９４は分岐器制御ボタン９５のユーザ操作に応じて分岐制御信号を出力する。
【００４３】
前記断線区間検出器（２）９０の電流検出回路９３に導通する２本の電流検出線と、前記分岐制御出力部９４から出力される分岐制御信号の信号線とは、前記断線区間検出器（１）８０の場合と同様に３芯の検出プラグ（２）９６として導出され、前記各誘導線５２ａ，５２ｂに一定間隔毎に介在された誘導線分岐器７０，７０の一方の分岐ケーブル７２Ｌ，７２Ｌ（または他方の分岐ケーブル７２Ｒ，７２Ｒ）と切り離しスイッチ７１，７１とに容易に接続を図るための後述する中継器１００（図６参照）に接続される。
【００４４】
図６は、前記誘導線断検出装置により誘導線断検出を行なう実施例を示す概略図である。
【００４５】
前記誘導線（アンテナ）５２（５２ａ，５２ｂ）は、前記トンネルＴＬ内の天井壁面等の高所に敷設されているため、当該誘導線５２ａ，５２ｂに介在した誘導線分岐器７０，７０に対して前記断線区間検出器（１）８０と断線区間検出器（２）９０とを接続するための中継器１００を設ける。この中継器１００は、例えば前記誘導線分岐器７０，７０が設けられる位置に対応するところのトンネルＴＬ内の側壁面に架設され、高さ的にはユーザ（保守作業員）による直接の作業が容易な地上高１２０ｃｍ程度の高さに設けられる。
【００４６】
前記中継器１００は、前記各誘導線５２ａ，５２ｂに介在した誘導線分岐器７０，７０それぞれの一方の分岐ケーブル７２Ｌ，７２Ｌと各切り離しスイッチ７１，７１の制御線に導通する３端子の左ソケット１０１Ｌ、および当該誘導線分岐器７０，７０それぞれの他方の分岐ケーブル７２Ｒ，７２Ｒと各切り離しスイッチ７１，７１の制御線に導通する３端子の右ソケット１０１Ｒを有する。
【００４７】
前記中継器１００の各ソケット１０１Ｌ，１０１Ｒは、何れも、前記断線区間検出器（１）８０の検出プラグ（１）８７、前記断線区間検出器（２）９０の検出プラグ（２）９６を接続可能にして構成される。
【００４８】
次に、このように構成されたトンネル内ラジオ再放送設備における誘導線断検出装置を用いた誘導線断箇所検出作業を説明する。
【００４９】
この誘導線断箇所検出作業は、先ず、前記ＡＭ再放送装置３０が備える誘導線断検知部３４により前記誘導線（アンテナ）５２の何れかの場所での断線異常が検知されることにより、当該断線異常の異常出力が前記管理事務所６０にてモニタされた場合に、２人１組になった保守作業員が前記断線区間検出器（１）８０と断線区間検出器（２）９０とを各々で携行して行う。
【００５０】
また、この誘導線断箇所検出作業は、前記各誘導線５２ａ，５２ｂに一定間隔毎に介在した上段側の各誘導線分岐器７０，７０と下段側の各誘導線分岐器７０，７０とにより切り離される当該各誘導線５２ａ，５２ｂの区間を断線検出対象区間とし、例えば前記整合器５１Ｍのある上段側から終端抵抗器５１Ｒのある下段側へ順番に行う。
【００５１】
図６に示すように、前記２人１組になった保守作業員の一人が前記断線区間検出器（１）８０の検出プラグ（１）８７を前記断線検出対象区間における上段側の中継器１００の右ソケット１０１Ｒに差し込んで接続する。また、前記２人１組になった保守作業員のもう一人が前記断線区間検出器（２）９０の検出プラグ（２）９６を当該断線検出対象区間における下段側の中継器１００の左ソケット１０１Ｌに差し込んで接続する。
【００５２】
こうすることにより、前記断線区間検出器（１）８０の２本の電圧印加線と分岐制御信号の信号線とが、前記断線検出対象区間における上段側の各誘導線分岐器７０，７０の他方の分岐ケーブル７２Ｒ，７２Ｒと切り離しスイッチ７１，７１の制御線とに接続される。また、前記断線区間検出器（２）９０の２本の電流検出線と分岐制御信号の信号線とが、当該断線検出対象区間における下段側の各誘導線分岐器７０，７０の一方の分岐ケーブル７２Ｌ，７２Ｌと切り離しスイッチ７１，７１の制御線とに接続される。
【００５３】
図７は、前記誘導線断検出装置を用いた誘導線断箇所検出作業（手法）の流れを示すフローチャートである。
【００５４】
前記２人の保守作業員が直接あるいは無線等により連絡を取り合い、前記各断線区間検出器（１）８０，（２）９０それぞれの分岐器制御ボタン８６，９５を押す（ステップＳ１）。
【００５５】
すると、前記断線検出対象区間における上段側の各誘導線分岐器７０，７０の各切り離しスイッチ７１，７１と下段側の各誘導線分岐器７０，７０の各切り離しスイッチ７１，７１とが共に動作し、当該断線検出対象区間の各誘導線５２ａ，５２ｂがその前段と後段の各誘導線５２ａ，５２ｂから切り離される（ステップＳ２）。
【００５６】
そして、前記断線区間検出器（１）８０の断線確認ボタン８５を押すと、その直流電源８２の電圧が前記断線検出対象区間における各誘導線５２ａ，５２ｂの一端に印加され、当該各誘導線５２ａ，５２ｂの他端から前記断線区間検出器（２）９０の電流検出回路９３に掛けられる（ステップＳ３）。
【００５７】
ここで、前記断線検出対象区間の各誘導線５２ａ，５２ｂに断線が無い場合には（ステップＳ４（Ｎｏ））、前記断線区間検出器（２）９０における電流検出回路９３のＬＥＤ９２が点灯し（ステップＳ５Ａ）、当該区間に断線が無いと判定できる（ステップＳ６Ａ）。
【００５８】
一方、前記断線検出対象区間の各誘導線５２ａ，５２ｂに断線ＥＭ（図２参照）が有る場合には（ステップＳ４（Ｙｅｓ））、前記断線区間検出器（２）９０における電流検出回路９３のＬＥＤ９２は消灯したまま点灯せず（ステップＳ５Ｂ）、当該区間に断線が有ると判定できる（ステップＳ６Ｂ）。
【００５９】
したがって、前記構成のトンネル内ラジオ再放送設備における誘導線断検出装置によれば、トンネルＴＬ内の整合器５１Ｍと終端抵抗器５１Ｒとの間に平行２線式のループ状に敷設された下りと上りの各誘導線５２ａ，５２ｂに対して、それぞれ一定間隔毎に誘導線分岐器７０，７０を介在し、当該各誘導線分岐器７０，７０から前段と後段の各誘導線５２ａ，５２ｂを切り離し可能にする。
【００６０】
そして、前記整合器５１Ｍ側からｎ個目の各誘導線分岐器７０，７０とｎ＋１個目の各誘導線分岐器７０，７０との間の各誘導線５２ａ，５２ｂを断線検出対象区間とし、当該区間の一端側の各誘導線分岐器７０，７０にユーザ操作に応じて切り離しの制御信号を出力し、当該区間の各誘導線５２ａ，５２ｂの一端にユーザ操作に応じて電圧を印加する断線区間検出器（１）８０を用意する。また、前記断線検出対象区間の他端側の各誘導線分岐器７０，７０にユーザ操作に応じて切り離しの制御信号を出力し、当該区間の各誘導線５２ａ，５２ｂの他端から導出される前記電圧により点灯するＬＥＤ９２を備えた断線区間検出器（２）９０を用意する。
【００６１】
前記断線区間検出器（１）８０により前記断線検出対象区間の各誘導線５２ａ，５２ｂの一端から電圧を印加した際に、前記断線区間検出器（２）９０のＬＥＤ９２が点灯する場合は該当区間の誘導線５２ａ，５２ｂに断線は無いと判定でき、同ＬＥＤ９２が点灯しない場合は該当区間の誘導線５２ａ，５２ｂに断線が有ると判定できる。
【００６２】
これにより、前記ＡＭ再放送装置３０が備える誘導線断検知部３４により前記誘導線（アンテナ）５２の何れかの場所での断線異常が検知された場合には、前記断線区間検出器（１）８０と断線区間検出器（２）９０とを使用して、前記誘導線分岐器７０，７０により一定間隔毎に切り離しが可能な前記断線検出対象区間の断線の有無を順次確認して行くことで、当該誘導線５２（５２ａ，５２ｂ）の何処で断線しているかを容易に特定できる。
【００６３】
よって、前記トンネル内ラジオ再放送設備において、誘導線５２（５２ａ，５２ｂ）に断線がある場合に、その断線箇所を特定するための保守作業員による調査時間を大幅に短縮することが可能になる。
【００６４】
また、前記構成の誘導線断検出装置によれば、前記誘導線５２（５２ａ，５２ｂ）に介在した各誘導線分岐器７０，７０に対して前記断線区間検出器（１）８０または断線区間検出器（２）９０を接続するための中継器１００を用意し、当該中継器１００を、前記各誘導線分岐器７０，７０に対応するところのトンネルＴＬ内側壁面の地上高１２０ｃｍ程度の高さ（地上の保守作業員から直接届く高さ）に架設した。
【００６５】
これにより、前記誘導線５２（５２ａ，５２ｂ）がトンネルＴＬ内の天井壁面等、地上の保守作業員から直接届かない高所に敷設されている場合でも、高所作業車等の利用により車両通行止めにする必要はなく、前記誘導線５２（５２ａ，５２ｂ）の何処で断線しているかを容易に特定できる。
【００６６】
さらに、前記構成の誘導線断検出装置によれば、前記断線区間検出器（１）８０と前記中継器１００との接続は、当該断線区間検出器（１）８０の検出プラグ（１）８７を中継器１００の右ソケット１０１Ｒ（または左ソケット１０１Ｌ）に差し込むことで容易に接続できる。また同様に、前記断線区間検出器（２）９０と前記中継器１００との接続も、当該断線区間検出器（２）９０の検出プラグ（２）９６を中継器１００の左ソケット１０１Ｌ（または右ソケット１０１Ｒ）に差し込むことで容易に接続できる。
【００６７】
なお、前記実施例では、前記誘導線５２ａ，５２ｂにおける断線検出対象区間の一端に断線区間検出器（１）８０を接続して電圧を印加し、当該断線検出対象区間の他端に断線区間検出器（２）９０を接続して断線検出（電流検出）する場合について説明したが、これとは逆に、前記断線検出対象区間の他端に断線区間検出器（１）８０を接続し、当該断線検出対象区間の一端に断線区間検出器（２）９０を接続して断線検出（電流検出）してもよいのは勿論である。
【００６８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果で述べられている効果が得られる場合には、この構成要件が削除されたり組み合わされた構成が発明として抽出され得るものである。
【符号の説明】
【００６９】
１０…ラジオ再放送装置、２０…受信装置、３０…ＡＭ再放送装置、
３４…誘導線断検知部、ＴＬ…トンネル、５１Ｍ…整合器、５１Ｒ…抵抗器、
５２…誘導線（アンテナ）、５２ａ…下り誘導線、５２ｂ…上り誘導線、
６０…管理事務所、７０…誘導線分岐器、７１…切り離しスイッチ、
７２Ｌ…一方の分岐ケーブル、７２Ｒ…他方の分岐ケーブル、
８０…断線区間検出器（１）、８１…電圧印加スイッチ、８２…直流電源、
８３…電圧印加回路、８４…分岐制御出力部、８５…断線確認ボタン、
８６…分岐器制御ボタン、８７…検出プラグ（１）、９０…断線区間検出器（２）、
９１…抵抗、９２…ＬＥＤ、９３…電流検出回路、９４…分岐制御出力部、
９５…分岐器制御ボタン、９６…検出プラグ（２）、１００…中継器、
１０１Ｌ…左ソケット、１０１Ｒ…右ソケット。
【図１】
2018105630.tif 000003
【図２】
2018105630.tif 000004
【図３】
2018105630.tif 000005
【図４】
2018105630.tif 000006
【図５】
2018105630.tif 000007
【図６】
2018105630.tif 000008
【図７】
2018105630.tif 000009